(57)【要約】      （修正有）【課題】マイクロホンが周囲の雑音を遮断するように配置され、良好な受音効果を有するマイクロホン付きスピーカユニットを提供する。【解決手段】マイクロホン付きスピーカユニットは、ハウジング１１０と、カバー１２０と、振動要素と、マイクロホン１４０とを含む。カバーは、ハウジングに組み付けられ、ハウジングと協働してチャンバを形成する。カバーは、少なくとも１つの音響孔１２２を有する。振動要素は、カバーに向かって音を発生させるようにチャンバ内に配置される。マイクロホンは、カバー上かつチャンバの外側に取り付けられる。【選択図】図１
0003229220.tif 000002
【実用新案登録請求の範囲】
【請求項１】
ハウジングと、
少なくとも１つの音響孔を有しており、前記ハウジングに組み付けられ、前記ハウジングと協働してチャンバを形成するカバーと、
前記チャンバ内に配置され、前記カバーに向かって音を発生させるように構成された振動要素と、
前記カバーに取り付けられ、前記チャンバの外側に位置するマイクロホンと
を備えるマイクロホン付きスピーカユニット。
【請求項２】
前記カバーは、互いに接続された本体および延長部を備え、前記本体は、前記ハウジングに組み付けられ、前記延長部は、前記ハウジングの外側へと延び、前記カバーは、複数のプリント配線をさらに有し、前記複数のプリント配線の少なくとも一部は、前記マイクロホンへと電気的に接続され、前記延長部へとさらに延びている、請求項１に記載のマイクロホン付きスピーカユニット。
【請求項３】
前記延長部は、前記カバーとは反対側の前記ハウジングの裏側へと曲げられ、前記複数のプリント配線のうちの残りが、前記裏側において前記振動要素に電気的に接続される、請求項２に記載のマイクロホン付きスピーカユニット。
【請求項４】
前記カバーは、一体的に形成されたフレキシブルプリント回路基板である、請求項２に記載のマイクロホン付きスピーカユニット。
【請求項５】
前記ハウジングに組み付けられ、前記ハウジングと協働して前記チャンバを形成するハードボードをさらに備え、
前記カバーの前記本体は、前記ハードボードに取り付けられる、請求項４に記載のマイクロホン付きスピーカユニット。
【請求項６】
前記ハードボードの材料は、金属、ガラス繊維、プラスチック、またはベークライトである、請求項５に記載のマイクロホン付きスピーカユニット。
【請求項７】
回路基板をさらに備え、
コネクタが、前記延長部のうちの前記本体から遠い側に配置され、前記コネクタは、前記回路基板に電気的に接続される、請求項２に記載のマイクロホン付きスピーカユニット。
【請求項８】
複数の端子が、前記延長部の途中部分に配置され、前記複数の端子は、前記振動要素に電気的に接続される、請求項２に記載のマイクロホン付きスピーカユニット。
【考案の詳細な説明】
【技術分野】
【０００１】
本開示は、スピーカユニットに関し、特にマイクロホン付きスピーカユニットに関する。
【背景技術】
【０００２】
技術が絶え間なく進歩するにつれて、パーソナルエレクトロニクス製品は、より軽量かつ最小化された設計を有する傾向にある。スマートフォン、タブレットコンピュータ、またはラップトップが、いずれも日常生活に欠かせないものになっている。上記のエレクトロニクス製品のいずれを使用していても、エレクトロニクス製品がもたらす音声情報をユーザが他者に迷惑をかけることなく聞くことができるように、イヤホンがエレクトロニクス製品の欠かせない付属品になっている。さらに、イヤホンは、音声を不明瞭にする空気中の音声の伝達と異なり、聴き手が音声の内容を明瞭に聞き取って理解することができるように、聴き手にとってより良好な音声の伝達ももたらす。とくには、ユーザが運動、運転、激しい動き、または騒音環境の状況にある場合に、音声の伝達が影響を受けることもない。さらに、エレクトロニクス製品にて電話をかけるために、マイクロホン付きイヤホンも、一般的な付属品である。
【０００３】
音声を聞き取る機能および音声を受け取る機能の両方を実現するために、伝統的なマイクロホン付きイヤホンは、ヘッドセットをマイクロホンから分離する設計を採用し、両者は信号線または単純な機構によって互いに接続される。このようにして、ヘッドセットを耳に近づけることができ、マイクロホンを口に近づけることができる。しかしながら、このような設計では、マイクロホンが周囲の雑音を同時に受け取るようになり、これがユーザの声の明瞭度に多大な影響を及ぼす。
【考案の概要】
【考案が解決しようとする課題】
【０００４】
本開示は、マイクロホンが周囲の雑音を受け取ってしまうという問題を改善することができるマイクロホン付きスピーカユニットを提供する。
【課題を解決するための手段】
【０００５】
本開示において、マイクロホン付きスピーカユニットは、ハウジングと、カバーと、振動要素と、マイクロホンとを含む。カバーは、ハウジングに組み付けられ、ハウジングと協働してチャンバを形成する。カバーは、少なくとも１つの音響孔を有する。振動要素は、チャンバ内に配置され、カバーに向かって音を発生させるように構成される。マイクロホンは、カバーに取り付けられ、チャンバの外側に位置する。
【０００６】
本開示の一実施形態において、カバーは、互いに接続された本体および延長部を含む。本体は、ハウジングに組み付けられ、延長部は、ハウジングの外側に延びる。カバーは、複数のプリント配線を有する。プリント配線の少なくとも一部は、マイクロホンに電気的に接続され、延長部へと延びる。
【０００７】
本開示の一実施形態において、延長部は、カバーとは反対側のハウジングの裏側へと曲げられ、プリント配線のうちの残りは、この裏側において振動要素に電気的に接続される。
【０００８】
本開示の一実施形態において、カバーは、一体的に形成されたフレキシブルプリント回路基板である。
【０００９】
本開示の一実施形態において、マイクロホン付きスピーカユニットは、ハウジングに組み付けられ、ハウジングと協働してチャンバを形成するハードボードをさらに含み、カバーの本体は、ハードボードに取り付けられる。
【００１０】
本開示の一実施形態において、ハードボードの材料は、金属、ガラス繊維、プラスチック、またはベークライトである。
【００１１】
本開示の一実施形態において、マイクロホン付きスピーカユニットは、回路基板をさらに含む。コネクタが、延長部のうちの本体から比較的遠い側に配置される。コネクタは、回路基板に電気的に接続される。
【００１２】
本開示の一実施形態においては、複数の端子が、延長部の途中部分に配置される。複数の端子は、振動要素に電気的に接続される。
【考案の効果】
【００１３】
以上にもとづき、本開示においては、マイクロホン付きスピーカユニットにおいて、マイクロホンが、周囲の雑音を遮断するようにカバー上に配置され、良好な受音効果を有する。
【図面の簡単な説明】
【００１４】
【図１】本開示の一実施形態によるマイクロホン付きスピーカユニットの概略図である。
【００１５】
【図２】図１のスピーカユニットの断面図である。
【００１６】
【図３】図１のスピーカユニットの要素の一部の概略図である。
【００１７】
【図４】別の角度から見た図１のスピーカユニットの概略図である。
【００１８】
【図５】ヘッドセットに適用されたときの図１のスピーカユニットの断面図である。
【００１９】
【図６】本開示の別の実施形態によるマイクロホン付きスピーカユニットの断面図である。
【考案を実施するための形態】
【００２０】
図１は、本開示の一実施形態によるマイクロホン付きスピーカユニットの概略図である。図２は、図１のスピーカユニットの断面図である。図１および図２を参照すると、この実施形態において、マイクロホン付きスピーカユニット１００は、ハウジング１１０と、カバー１２０と、振動要素１３０と、マイクロホン１４０とを含む。カバー１２０は、ハウジング１１０に組み付けられ、ハウジング１１０と協働してチャンバＣ１０を形成する。カバー１２０は、少なくとも１つの音響孔１２２を有する。振動要素１３０は、カバー１２０に向かって音声を発生させるようにチャンバＣ１０内に配置される。マイクロホン１４０は、カバー１２０に取り付けられ、チャンバＣ１０の外側に位置する。
【００２１】
この実施形態のマイクロホン付きスピーカユニット１００においては、マイクロホン１４０がカバー１２０に取り付けられ、振動要素１３０がカバー１２０に向かって音声を発生させるように構成されている。換言すると、スピーカユニット１００のヘッドセットがユーザの耳に装着されたとき、ハウジング１１０、カバー１２０、および振動要素１３０が、マイクロホン１４０と外部環境との間に位置し、したがってマイクロホン１４０が受け取る周囲の雑音を減らすことができ、マイクロホンが良好な受音効果を有することができる。さらに、マイクロホン１４０がカバー１２０に直接固定されるため、ヘッドセットにマイクロホン１４０およびスピーカユニット１００をそれぞれ取り付けるための２つの製造工程を実行する必要がなく、したがって製造工程が削減され、組み立て精度の向上にも寄与する。
【００２２】
図３は、図１のスピーカユニットのいくつかの要素の概略図である。図２および図３を参照すると、この実施形態におけるカバー１２０は、互いに接続された本体１２４と延長部１２６とを含む。本体１２４は、ハウジング１１０に組み付けられ、延長部１２６は、ハウジング１１０の外側に延びる。換言すると、カバー１２０がハウジング１１０に組み付けられたとき、延長部１２６は、ハウジング１１０の外側に位置する。例えば、カバー１２０を組み付けるためのハウジング１１０の開口部が実質的に円形である場合、カバー１２０の本体１２４も実質的に円形であり、延長部１２６は本体１２４に接続された尻尾に似ている。カバー１２０は、複数のプリント配線１２８をさらに有する。プリント配線１２８の少なくとも一部は、マイクロホン１４０に電気的に接続され、延長部１２６へと延びる。換言すると、カバー１２０は、マイクロホン１４０を担持し、チャンバＣ１０を構成するように構成されるだけでなく、マイクロホン１４０が外部環境に電気的に接続されるように、回路担持基板としても機能する。
【００２３】
例えば、カバー１２０を、フレキシブルプリント回路基板で構成することができる。換言すると、カバー１２０は、一体的に形成されたフレキシブルプリント回路基板であってよい。カバー１２０の本体１２４の硬度を、相応に高めることも可能である。例えば、カバー１２０のベースとして、比較的硬度の高い絶縁材料が選択されるが、本開示はこれに限定されない。
【００２４】
さらに、この実施形態において、マイクロホン付きスピーカユニット１００は、ハウジング１１０に組み付けられ、ハウジング１１０と協働してチャンバＣ１０を形成するハードボード１５０をさらに含むことができる。カバー１２０の本体１２４は、ハードボード１５０に取り付けられる。このようにして、ハードボード１５０は、マイクロホン１４０に良好な支持を提供することができる。この実施形態において、ハードボード１５０の材料は、例えば、金属、ガラス繊維、プラスチック、ベークライト、または他の適切な材料である。
【００２５】
さらに、この実施形態において、振動要素１３０は、例えば、振動板１３２と、コイル１３４と、磁石１３６とを含む。コイル１３４への電流入力によって生じる磁場と磁石の磁場との間の相互作用が、振動板１３２を駆動して振動させ、音を発生させる。しかしながら、他の実施形態において、振動要素１３０は、平衡電機子または他の振動要素であってもよい。
【００２６】
図４は、別の角度から見た図１のスピーカユニットの概略図である。図５は、ヘッドセットに適用されたときの図１のスピーカユニットの断面図である。図４および図５を参照すると、ハウジング１１０の底部は、例えば、２つの端子１１２を有する。端子１１２を、信号を入力および出力するために振動要素１３０（図２に示されている）に電気的に接続することができる。同様に、カバー１２０の延長部１２６も、２つの端子１２６Ａを有することができる。この実施形態においては、延長部１２６の途中部分が端子１２６Ａとして例示されているが、本開示はこれに限定されない。延長部１２６がカバー１２０とは反対側のハウジング１１０の裏側１１４へと曲げられたとき、振動要素１３０をカバー１２０上のプリント配線１２８を介して外部へと接続できるように、２つの端子１２６Ａを、ハウジング１１０の２つの端子１１２に電気的に接続することができる。例えば、端子１２６Ａおよび端子１１２は、溶接または他の方法によって電気的に接続されてよい。端子１２６Ａおよび端子１１２の種類は、露出した平面パッド、バンプを有する種類、または他の適切な種類であってよく、各々の図における端子の種類は、あくまでもそれらの位置の理解を容易にするための例示にすぎず、端子の種類を限定するものではない。さらに、端子１２６Ａを、ハウジング１１０の端子１１２を介さずに、振動要素１３０に直接接続してもよい。
【００２７】
図５に示されるように、マイクロホン付きスピーカユニット１００は、ヘッドセット５０に配置されたとき、ヘッドセットハウジング５２内に位置し、イヤークッション５４が、ヘッドセットハウジング５２の一方側に配置される。マイクロホン１４０は、イヤークッション５４とハウジング１１０との間に位置する。すなわち、ハウジング１１０は、マイクロホン１４０が受け取る周囲の雑音の低減に役立つことができ、マイクロホンが良好な受音効果を有することができる。さらに、この実施形態においては、振動要素１３０（図２に示されている）およびマイクロホン１４０の両方が、カバー１２０上のプリント配線１２８（図３に示されている）に電気的に接続され、カバー１２０の延長部１２６のうちの本体１２４から比較的遠い側に位置するコネクタ１２６Ｂを介して外部の電子装置にさらに接続される。例えば、マイクロホン付きスピーカユニット１００は、回路基板５６をさらに含むことができ、コネクタ１２６Ｂは、回路基板５６に電気的に接続される。次いで、回路基板５６を、有線または無線にて外部の電子装置に接続することができる。
【００２８】
図６は、本開示の別の実施形態によるマイクロホン付きスピーカユニットの断面図である。図６を参照すると、この実施形態において、マイクロホン付きスピーカユニット２００は、図２のマイクロホン付きスピーカユニット１００に似ており、両者の間の違いは、ハウジング２１０とハードボード２５０との間の接合部の形状である。この実施形態におけるハードボード２５０のサイズは、振動要素１３０のサイズと実質的に同様であり、したがってハウジング２１０を、振動要素１３０よりも大きいサイズとなるように外側へと広げる必要がない。さらに、先の実施形態と同様に、カバー２２０を最初にハードボード２５０に取り付け、次いでハードボード２５０をハウジング２１０に組み付けることが可能である。あるいは、カバー２２０およびハードボード２５０を、単一のアセンブリとして一体的に形成してもよい。当然ながら、本開示のマイクロホン付きスピーカユニットは、ここには挙げないが、さまざまな外観を有することもできる。
【００２９】
以上にもとづき、本開示のマイクロホン付きスピーカユニットにおいては、マイクロホンがカバーに取り付けられるため、カバーによって周囲の雑音を遮断し、マイクロホンに良好な受音効果を持たせることを可能にできる。また、マイクロホンを、スピーカユニットを組み付けるときに単一の製造工程でヘッドセットに組み込むことができるため、労働時間を節約し、組み立て精度を向上させることができる。
【産業上の利用可能性】
【００３０】
本開示のマイクロホン付きスピーカユニットは、エレクトロニクス製品に適用することができる。
【符号の説明】
【００３１】
１００，２００：スピーカユニット
１１０，２１０：ハウジング
１２０，２２０：カバー
１３０：振動要素
１４０：マイクロホン
Ｃ１０：チャンバ
１２２：音響孔
１２４：本体
１２６：延長部
１２８：プリント配線
１５０，２５０：ハードボード
１３２：振動板
１３４：コイル
１３６：磁石
１１２，１２６Ａ：端子
１１４：裏側
５０：ヘッドセット
５２：ヘッドセットハウジング
５４：イヤークッション
１２６Ｂ：コネクタ
５６：回路基板
【図１】
0003229220.tif 000003
【図２】
0003229220.tif 000004
【図３】
0003229220.tif 000005
【図４】
0003229220.tif 000006
【図５】
0003229220.tif 000007
【図６】
0003229220.tif 000008